(57)【特許請求の範囲】
【請求項１】
柱（５）と土台（６）と基礎（４）とを結合するためのホールダウン金具であって、
前記土台（６）と基礎（４）との間に挟み込まれる座板（１）と、前記柱（５）と前記土台（６）との下端面に嵌入し且つ嵌入部分が固定ピン（９）によって該柱（５）と固定される連結杆（２）と、を分割可能に備え、
前記座板（１）には、前記連結杵（２）またはアンカーボルト（７）を差し入れるための係止孔（３）を複数設け、個々の係止孔（３）の一端側には、内径を拡大した鍔受け凹部（１２）を設け、
前記連結杵（２）の下端部には、前記鍔受け凹部（１２）に嵌まり込む鍔部（１１）を設けてあることを特徴とするホールダウン金具。
【請求項２】
前記係止孔（３）は、前記座板（１）における基礎（４）の長手方向に沿って少なくとも３カ所以上に配設してあることを特徴とする請求項１記載のホールダウン金具。
【発明の詳細な説明】
【０００１】
【発明の属する技術分野】
本発明は、建築物の土台、基礎に柱を支持固定するためのホールダウン金具に関するものである。
【０００２】
【従来の技術】
木造建築物の柱と土台、基礎との結合部分は、家屋の構造において極めて重要な部位の一つであり、柱が正確な状態で土台に支持されていなければ、地震等で家屋が浮き上がり、更には前記家屋が倒壊する危険性があった。
【０００３】
そこで上記のような問題点に鑑み、柱と土台とを強固に連結するホールダウン金具が使用されており、例えば、土台において突出するアンカーボルトを連結杆付きの座板に螺合し、この連結杆を柱の底部に差し込み、さらに柱には、該柱が立ててある方向と交差する方向に、柱を貫通する固定ピン用のピン孔が数カ所に設けてあり、前記アンカーボルトと柱の各ピン孔の位置をそれぞれ一致させて、前記固定ピンを挿通するものであった。
【０００４】
【発明が解決しようする課題】
しかしながら、前述のようなホールダウン金具は、柱側に設けたピン孔とアンカーボルト側のピン孔とがうまく一致せず、前記柱において、各ピン孔同士が対応する箇所に新たに貫通するピン孔を開けていたので、柱の耐性が弱まり、しかも、新たなピン孔を開ける工程手間や建築時のコストが大幅に増大する問題点が発生した。
【０００５】
さらに、前記ホールダウン金具を使用する箇所や、あるいは建築物の耐性によって、それぞれの状況に対応した様々な種類の金具を用意しなければならず、これにより、柱と基礎とを連結する前記金具の点数が大幅に増え、コストがかさむ問題点があった。
【０００６】
本発明は、建築時の作業効率を大幅に向上でき、しかも低コスト化をはかれるホールダウン金具を提供することにある。
【０００７】
【課題を解決するための手段】
本発明のうち請求項１記載の発明は、柱と土台と基礎とを結合するためのホールダウン金具であって、前記土台と基礎との間に挟み込まれる座板と、前記柱と前記土台との下端面に嵌入し且つ嵌入部分が固定ピンによって該柱と固定される連結杆と、を分割可能に備え、前記座板には、前記連結杵またはアンカーボルトを差し入れるための係止孔を複数設け、個々の係止孔の一端側には、内径を拡大した鍔受け凹部を設け、前記連結杵の下端部には、前記鍔受け凹部に嵌まり込む鍔部を設けてあることを特徴とする。
【０００８】
本発明によるホールダウン金具は、土台と基礎との間に挟み込む座板と、柱や土台に嵌入する連結杆と、に分割されており、座板には、連結杵やアンカーボルトを差し入れるため、係止孔を配設する。座板の形状や大きさについては、土台と基礎との間に安定して固定できるとともに、係止孔を２箇所以上に配設できる広さを保有していれば特に限定はない。また、連結杵を係止孔において抜出不能にする手段としては具体的に、連結杵の一端に鍔部を設けるとともに、座板側に前記鍔部と対応する鍔受け凹部を設ける。鍔受け凹部は、係止孔の一端側の内径を拡大してリング状に形成した部位である。
【０００９】
このように形成すると、まず、基礎上に連結杵を差入れた状態の座板をアンカーボルトの螺合によって固定し、次いで、前記連結杵に土台を差し入れ、さらに連結杵を座板において軸回転して、該連結杵側のピン孔と柱側のピン孔とを一致するように回転調整しながら、前記連結杵を柱の下端面に嵌入することで、最終的に固定ピンによって柱と連結杵とを容易に結合することが可能となる。
【００１０】
また本発明のうち請求項２記載の発明では、前記係止孔は、前記座板における土台の長手方向に沿って少なくとも３カ所以上に配設してあるので、例えば、土台の隅角に柱を立てる場合であれば、座板の端側に配設してある係止孔に前記連結杆を差し入れることで、土台における連結杆の立ち上がり位置が、隅角に立設する柱の下端面の芯位置と対応し、また、土台の中間位置に柱を立てる場合には、３つの係止孔のうちの中央に配設してある係止孔に前記連結杆を挿通することで、左右いづれかの箇所に１本乃至２本のアンカーボルトを螺合でき、これにより、連結杆の立ち上がり位置が柱下端面の芯位置に、常に安定支持が可能な状態で対応することとなる。
【００１１】
ここで係止孔が座板の３カ所以上に必要なのは、柱を土台上に立てる際に、連結杆の差し込まれる位置とアンカーボルトの螺合される位置とが、土台の隅角の場合と中間の場合で異なるためであり、例えば、土台の中間に柱を立てる場合には、連結杆を差し入れた係止孔の左右に配設してある他の各係止孔に、１本乃至２本のアンカーボルトを差し入れる場合においても、確実に差し入れる係止孔が対応するためである。
【００１２】
【発明の実施の形態】
本発明のホールダウン金具の一実施形態を以下に説明する。
本実施形態のホールダウン金具は図１に示すように、上下に貫通する係止孔３を基礎４の長手方向に沿って一列に間隔をあけて５箇所に配設してある座板１と、該座板１の左から２番目の係止孔３に挿通し且つ柱５の底部側に嵌入するとともに下端側に鍔部１１を備える連結杆２と、前記柱５に差し込んだ連結杆２を該柱５に固定するためのドリフトピン９と、からなっている。
【００１３】
次にホールダウン金具の各構成部材について以下に詳細に説明する。
まず座板１は図２のように、約２０ｍｍ厚程度で且つ方形をなす金属板を使用するものであり、この金属板には、該金属板の肉厚方向に貫通する係止孔３が、金属板の長手方向に沿って一直線上に等間隔で５箇所に配設してある。さらに各係止孔３には、当該各係止孔３の外周部分に沿ってリング状をなす鍔受け凹部１２が、座板１における図の左側の係止孔３から順番に表面側、裏面側と交互に設けてあり、これによって、柱５への連結杆２の差入れ位置の対応範囲が一層拡がることになる。また、前記座板１には多数の貫通孔１３と複数箇所に交差する切溝１７が設けてあり、前記各貫通孔１３の配設と切溝１７によって、基礎４を形成しているコンクリート内の毛細管現象で基礎４と座板１との間に染み出した水の排水が良好となり、しかも、本ホールダウン金具の製造時に必要な材料も少なくなるので製造コストも軽減される。
尚、前記切溝１７は、本座板１の基礎４上における設置の際に、設置方向を合わせるための目印としても利用される。
【００１４】
前記連結杆２は図３のように、金属製の長尺な棒材の下端部から放射状に張り出した鍔部１１が設けてあり、また棒材の側周面には、ピン孔８，８を計５箇所に設けてある。図１に戻って説明するが、この連結杆２を柱５に差し込んだ際、該柱５側に設けた柱側ピン孔１６，１６と、前記連結杆２側の各ピン孔８，８とが一致した段階でドリフトピン９の差し入れが可能となり、この差し入れたドリフトピン９は連結杆２のピン孔８，８において抜け出し不能に嵌挿し、最終的に連結杆２による柱５の支持固定がなされる。
尚、連結杆２のピン孔８，８と柱５側の柱側ピン孔１６，１６とを一致させる場合、鍔受け凹部１２内で連結杆２の鍔部１１が摺動し、前記連結杆２を軸回転することで各孔位置の調整をおこなえる。また、連結杆２の鍔部１１と前記鍔受け凹部１２に４５°間隔、あるいは９０°間隔、１８０°間隔で雄雌部１８，１９を設ければ、連結杆２と柱５の各ピン孔８，１６同士を一層容易に位置決めできる。
【００１５】
そして、前記座板１のいずれかの各係止孔３と連結杆２との組み合わせについては、土台６における柱５を立てる場所によって、前記連結杆２を差し込む係止孔３の孔位置を違わせることで対応する。実例を挙げて説明すると、まず、土台６の隅角の立設箇所Ｒに柱５を立ち上げる場合には図１のように、座板１に設けてある各係止孔３のうち、前記図を基準にした左から２番目の係止孔３に前記連結杆２を挿通し、該連結杆２を挿通した両隣の各係止孔３，３には、連結杆２の鍔部１１と一致する形状の鍔を外周部に備えるとともに、長孔状の内周部にネジ溝が切られたリング状をなすアジャスト座金１０，１０を、このアジャスト座金１０の鍔側を座板１の鍔受け凹部１２に嵌合し、さらに、当該各アジャスト座金１０，１０にアンカーボルト７の上端部を前記係止孔３の下方側において差し入れ、前記アジャスト座金１０を回して螺合することで、柱５が土台６の天面側にしっかりと固定される。
【００１６】
また、基礎４の長手方向の中間の立設箇所Ｓに柱５を立ち上げる場合には図４のように、連結杆２を座板１にある５カ所の係止孔３のうちの３番目の孔３に配設してある係止孔３に挿通し、さらに、該連結杆２を挿通した係止孔３の両隣に配設してある他の各係止孔３，３において、それぞれアジャスト座金１０，１０を嵌入し、さらに、基礎４天面において上方に突出する各アンカーボルト７，７の上端部をそれぞれ螺合することで、基礎４と土台６とが座板１を挟む状態で強固に結合し、前記柱５が土台４上において連結杆２に支持されながら、しっかりと固定される。
【００１７】
さらに図５のように、座板１の天面側に柱５を立てた状態で直接載置し、該柱５の底面側の係止孔３に、前記連結杆２を差し込んで柱５を結合したものである。
尚、前記実施形態の場合には、前記柱５の側部側と土台６の端面Ｌとを結合する連結金具１４が設けてあり、基礎４と土台６、柱５のそれぞれを固定する構造となっている。
【００１８】
【発明の効果】
本発明のうち請求項１記載の発明によれば、座板と連結杆とが分割しているので、柱と連結杆との固定ピンによる結合が迅速且つ簡単におこなえ、建築作業の効率化とコストの大幅な削減が期待できる。
【００１９】
また、本発明のうち請求項２記載の発明によれば、土台における柱を結合する箇所に関わらず、一組のホールダウン金具を用いて、柱を立てるすべての状況に対応できるので、建築の際に使用するホールダウン金具の点数が飛躍的に減少し、これにより大幅なコストの削減が可能となる。
【００２０】
さらに、座板は土台と基礎との間に介在することで基礎パッキンの役割を果たし、これにより隙間が形成されることから、特別な工事をすることなく建築物に容易に通気口が設けられる。
【図面の簡単な説明】
【図１】  本発明のホールダウン金具の一使用例を示す縦断面図である。
【図２】（イ）（ロ）  本発明のホールダウン金具の構成部材である、座板を示す平面図とＡ−Ａ線断面図である。
【図３】（イ）（ロ）  図３（イ）は本発明のホールダウン金具の構成部材である、連結杆を示す側面図。そして図３（ロ）は前記図３（イ）のＢ−Ｂ断面図である。
【図４】  本発明のホールダウン金具の他の一使用例を示す縦断面図である。
【図５】  同じく、本発明のホールダウン金具の他の一使用例を示す縦断面図である。
【符号の説明】
１  座板
２  連結杆
３  係止孔
４  基礎
５  柱
６  土台
７  アンカーボルト
９  ドリフトピン（固定ピン）
Ｒ  立設箇所（隅角）
Ｓ  立設箇所（中間）
【図１】
0004820510.tif 000002
【図２】
0004820510.tif 000003
【図３】
0004820510.tif 000004
【図４】
0004820510.tif 000005
【図５】
0004820510.tif 000006